(57)【特許請求の範囲】
【請求項１】
上面の載置面に透明な押さえ板を開閉可能に備えて熱伝導性の良好に設けられた載置平盤と複数の熱交換フィンを備えて熱伝導良好に設けられた台盤との間にペルチェ素子を挟み込み配置し、前記ペルチェ素子に、電源極性を切り換える切り換え手段を介して電源を接続したことを特徴とする用紙加熱冷却装置。
【請求項２】
上記台盤の熱交換フィン側にファンからなる送風装置を対設した請求項１に記載の用紙加熱冷却装置。
【請求項３】
上記送風装置により熱交換フィン側から送り出される空気を上記載置平盤の載置面に向けて案内する空気路が着脱可能に設けられている請求項２に記載の用紙加熱冷却装置。
【発明の詳細な説明】
【０００１】
【発明の属する技術分野】
本発明は各種伝票などに記入された情報が正規に記載されたものであるかどうかをチェックするための装置に関するものである。
【０００２】
【発明が解決しようとする課題】
従来から加熱や冷却によって色彩が現れたり消えたりする特性を備えた示温剤インキを用いて伝票への情報記入を行うことがあり、その所定の示温剤インキによって情報が記載されているかどうかを確認することで、伝票に記載された情報が正規に記載されたものであるかどうかをチェックするようにしている。即ち、伝票に記載された情報が所定の示温剤インキによる書き込みであるときには、この伝票を暖めたり冷やしたりすることで示温剤インキの特性で記載された文字が現出したり消えたりし、逆に正規でない記載では伝票を暖めたり冷やしたりしても変化が生じないものとなり、記載された情報が偽造されたものであることが判断できるようにしている。
ところで、上記チェックを行う場合、加熱して確認するものでは、保温材を押し当てたり、温風器にて温風を当てて伝票を暖めているのが現状であり、また、冷却して確認するものでは、この伝票を保冷材に押し当てたり、小型冷蔵庫に入れて冷やして確認するようにしており、何れの場合でもチェック作業が極めて煩雑なものとなっており、簡便な加熱装置や冷却装置が望まれている。
そこで本発明は上記事情に鑑み、伝票を載せ置く載置板状のもので簡便にその伝票を加熱したり冷却したりすることができるようにすることを課題とし、上記チェックを効率よく行えるようにすることを目的とする。
【０００３】
【課題を解決するための手段】
本発明は上記課題を考慮してなされたもので、上面の載置面に透明な押さえ板を開閉可能に備えて熱伝導性の良好に設けられた載置平盤と複数の熱交換フィンを備えて熱伝導良好に設けられた台盤との間にペルチェ素子を挟み込み配置し、前記ペルチェ素子に、電源極性を切り換える切り換え手段を介して電源を接続したことを特徴とする用紙加熱冷却装置を提供して、上記課題を解消するものである。そして、本発明において、前記台盤の熱交換フィン側にファンからなる送風装置を対設することが良好であり、また、前記送風装置により熱交換フィン側から送り出される空気を載置平盤の載置面に向けて案内する空気路が着脱可能に設けられていることが良好である。
【０００４】
【発明の実施の形態】
つぎに本発明を図１に示す実施の形態に基づいて詳細に説明する。
図中１は本発明の用紙加熱冷却装置で、該用紙加熱冷却装置１は電源から直流電流を流すことで一方の面から他方の面に熱が移動する作用を生じるペルチェ素子を利用したものであり、図示されているように、熱伝導性が良好な金属からなる載置平盤２と同じく熱伝導性が良好な金属からなる台盤３とのそれぞれの平滑な対向面を平行に対面させて、その間にペルチェ素子４を挟み込み配置し、さらに、そのペルチェ素子４には電源極性を切り換える切り換え手段５を介して電源６が接続されている。
上記載置平盤２は上面が伝票などを置く載置面７とされ、その載置面７には一辺が止め具８により支持されて開閉可能に設けられた透明な押さえ板９が配置されており、この押さえ板９と載置面７との間に伝票などのチェックの対象となるシートを配置する。そして、図示されているように、押さえ板９の下に配したシート、伝票などを押さえ込むようにするために、前記止め具８に押さえ板９を下方に付勢するスプリング部材１０が設けられている。
【０００５】
上記台盤３にはペルチェ素子側とは反対側に複数の熱交換フィン１１が設けられており、周りの空気との熱交換が行い易い断面形状としている。さらに、この台盤３における熱交換フィン１１側には電動のファンからなる送風装置１２を対設して熱交換の効率を向上させるように設けられているとともに、前記送風装置１２によって熱交換フィンから送り出される空気を上記載置平盤２の載置面７に向けて案内する空気路１３が着脱可能に設けられている。
【０００６】
上記構造の用紙加熱冷却装置１によりチェックする伝票に対して冷却を行う場合には、載置平盤２が冷えて台盤３の熱交換フィン１１にて排熱するように上記切り換え手段５の操作で電源６の極性を設定してその電源６から電流を流すようにすればよく、前記ペルチェ素子４の作用により載置平盤２が冷えてその載置面７に配置された伝票などが冷やされ、その伝票に記載された示温剤インキの変化の有無を押さえ板９を通して確認すればよい。なお、載置平盤の冷却温度を或る温度に設定するために、例えば、載置平盤に温度センサを接続し、この測定温度に応じて電流値を制御したり、或は、前記送風装置１２のファンの回転数を調整するなどして、その設定温度を維持させるようにしてもよい。勿論、載置平盤の冷却時に常時送風動作したり、手動にて稼働、停止を行うようにしてもよい。
上記空気路１３は載置平盤２の冷却時にその載置平盤２に空気中の水蒸気の凝結水が付着しないように、熱交換フィンの周りで暖められた空気を載置面に送り出すようにするものであり、この風の送り込みによって載置面に配置した伝票などが濡れないようにするものである。
【０００７】
また、逆にチェックする伝票を加熱する場合には、載置平盤２が暖まるように切り換え手段５の操作で電源６の極性を切り換えて電流を流すようにすればよく、ペルチェ素子４の作用により載置平盤２が昇温し載置面７に配置した伝票などが加熱され、その伝票に記載された示温剤インキの変化の有無を押さえ板９を通して確認すればよい。なお、伝票を加熱してチェックを行う場合、必要に応じて送風装置を稼働させればよい。また、空気路１３は取り外すようにする。
【０００８】
【発明の効果】
以上説明したように、本発明の用紙加熱冷却装置によれば、上面の載置面に透明な押さえ板を開閉可能に備えて熱伝導性の良好に設けられた載置平盤と複数の熱交換フィンを備えて熱伝導良好に設けられた台盤との間にペルチェ素子を挟み込み配置し、前記ペルチェ素子に、電源極性を切り換える切り換え手段を介して電源を接続したことを特徴とするものである。このように、伝票を載せる載置平盤をペルチェ素子の作用により加熱したり冷却したりするものであることから構造が簡単であり、加熱冷却装置として小型化が図り易く、机の上などに設置してチェック作業に使用できるようになり、そのチェック作業の効率を向上させることができる。そして、一台の装置にて加熱と冷却とが切り換えて行えるため、それぞれ別の装置を用意することがなく、経済的であるなど、実用性に優れた効果を奏するものである。
【図面の簡単な説明】
【図１】本発明の用紙加熱冷却装置の一例を示す説明図である。
【符号の説明】
１…用紙加熱冷却装置  ２…載置平盤
３…台盤  ４…ペルチェ素子  ５…切り換え手段
６…電源  ９…押さえ板  １１…熱交換フィン
１２…送風装置  １３…空気路
【図１】
0003646240.tif 000002